(57)【要約】  漢方用鍼アセンブリを開示する。この漢方用鍼アセンブリは、中空の管状の棒部材と；前記棒部材に移動可能に設置され、人体の皮膚中に刺し込まれるピン部材と；前記ピン部材が前記棒部材の先端から突き出て人体の皮膚に差し込まれた後、前記ピン部材が前記棒部材の先端から再び突き出て前記人体の皮膚に再度刺し込まれることを防止する再使用防止手段と；を含む。【選択図】図５
2010537709.tif 000002
【特許請求の範囲】
【請求項１】
中空の管状の棒部材と、
前記棒部材に移動可能に設置され、人体の皮膚中に刺し込まれるピン部材と、
前記ピン部材が前記棒部材の先端から突き出て人体の皮膚に差し込まれた後、前記ピン部材が前記棒部材の先端から再び突き出て前記人体の皮膚に再度刺し込まれることを防止する再使用防止手段と、
を含むことを特徴とする漢方用鍼アセンブリ。
【請求項２】
前記棒部材は、一方向に長い貫通孔を有する管部と、前記管部の外周面を取り囲むようにして配置され、前記管部の先端面及び内周面により限定される収容空間と、を有する収容部を有し、
前記再使用防止手段は、前記収容空間に配置される挿入ブロックを含み、
前記挿入ブロックは、前記ピン部材の挿入される孔を有する挿入部と、前記挿入部から延在し、前記挿入部の孔に前記ピン部材が挿入された状態で、前記ピン部材が貫通する軸線に対して偏って位置し、前記ピン部材の前記孔への挿入が解除された状態で、前記軸線に一致するように位置する中心部と、を含むことを特徴とする、請求項１に記載の漢方用鍼アセンブリ。
【請求項３】
前記棒部材は、一方向に長い貫通孔を有する管部と、前記管部の外周面を取り囲むようにして配置され、前記管部の先端面及び内周面により限定される収容空間を有する収容部と、を含み、
前記再使用防止手段は、前記棒部材の中心軸線と一致する方向にあけられた貫通孔を有し、前記収容部から前記収容空間側に向かって次第に外径が狭まるように延在する突起部を含み、
前記ピン部材は、前記突起部の貫通孔に挿入された状態で人体の皮膚中に刺し込まれ、前記貫通孔への挿入が解除された状態でその先端が前記貫通孔の中心軸線に対して偏って位置するように形成されることを特徴とする、請求項１に記載の漢方用鍼アセンブリ。
【請求項４】
前記再使用防止手段は、
前記棒部材の中心軸線と一致する方向にあけられて前記ピン部材が挿入される貫通孔を有し、前記棒部材の下端側から上端側に向かって次第に外径が狭まるように形成される挿入部を含み、
前記ピン部材は、前記挿入部の貫通孔に挿入された状態で人体の皮膚中に刺し込まれ、前記貫通孔への挿入が解除された状態でその先端が前記貫通孔の中心軸線に対して偏って位置するように形成されることを特徴とする、請求項１に記載の漢方用鍼アセンブリ。
【請求項５】
前記ピン部材が前記棒部材の内部に挿入された状態で前記ピン部材の前記棒部材に対する移動を抑制する移動抑制手段をさらに含むことを特徴とする、請求項１に記載の漢方用鍼アセンブリ。
【請求項６】
前記ピン部材と一緒に前記棒部材に対して移動可能なように前記ピン部材に結合される加圧部材をさらに含み、
前記移動抑制手段は、
前記加圧部材の外周面に形成された第１係止突部と、前記加圧部材の外周面に前記第１係止突部と離間して形成される第２係止突部と、前記棒部材の内周面に形成されて、前記第１係止突部と前記第２係止突部との間に結合される位置固定突起と、を含むことを特徴とする、請求項５に記載の漢方用鍼アセンブリ。
【請求項７】
前記移動抑制手段は、
前記位置固定突起が前記第１係止突部と前記第２係止突部との間に結合されている状態が解除されて、前記加圧部材が前記棒部材に対して移動する場合に、前記加圧部材及び前記ピン部材が前記棒部材から分離されることを防止するように、前記加圧部材の前記第１係止突部が引っ掛かる第１ストッパと、前記加圧部材の前記第２係止突部が引っ掛かる第２ストッパと、をさらに含むことを特徴とする、請求項６に記載の漢方用鍼アセンブリ。
【発明の詳細な説明】
【技術分野】
【０００１】
本発明は、漢方用鍼アセンブリに係り、より詳細には、鍼を打つ前に、感染されている皮膚または外部感染物体に鍼が接触することを防止し、細菌感染を防止できるように構造が改善された漢方用鍼アセンブリに関する。
【背景技術】
【０００２】
図１は、一般的な漢方用鍼アセンブリを示す断面図である。同図に示すように、一般的な漢方用鍼アセンブリは、中空の管状の棒部材Ａと、棒部材Ａ内に移動可能に設けられ、皮膚Ｓ中に刺し込まれるピン部材Ｂと、からなる。
【０００３】
ピン部材Ｂが棒部材Ａ内に挿入された状態で、封止及び包装作業が行われる。
【０００４】
このような構成を有する従来技術の漢方用鍼アセンブリには、下記のような問題点があった。
【０００５】
すなわち、ピン部材Ｂを用いて漢方医学的な施術をしようとする場合には、まず、漢方用鍼アセンブリの包装をはがさなければならない。その後、棒部材Ａを把持してピン部材Ｂを皮膚Ｓに接触させた後、ピン部材Ｂの上端を加圧することで、ピン部材Ｂが皮膚Ｓ中に刺し込まれる。
【０００６】
しかしながら、ピン部材Ｂは、棒部材Ａに移動自在に設置されているため、図２に示すように、棒部材Ａが平行線Ｐに対してわずか傾斜するだけでも棒部材Ａからよく脱去してしまう。
【０００７】
したがって、施術者は、ピン部材Ｂが患者の身体に接触するまで、ピン部材Ｂの棒部材Ａからの離脱を防止するために相当努力しなければならない。このような施術者の努力にもかかわらず、ピン部材Ｂの移動性によってピン部材Ｂは患者の正確な身体部位に置かれず、鍼施術の上で困難があった。
【０００８】
一方、図３に示すように、施術者は、ピン部材Ｂの棒部材Ａからの離脱を防ぐ努力をせずに、一般的に棒部材Ａとピン部材Ｂの下端部を指で押さえてピン部材Ｂの離脱を防止しながら鍼施術をしてきたが、細菌に露出されている指がピン部材Ｂに接触し、ピン部材Ｂを介して患者に細菌を感染させるという問題点があった。
【０００９】
また、ピン部材Ｂは使い捨てなければならないにもかかわらず、ピン部材Ｂを消毒して再使用する場合があり、このような再使用を根本的に防ぐことが望まれている。
【発明の概要】
【発明が解決しようとする課題】
【００１０】
本発明は、上記問題点を解決するために案出されたもので、その目的は、鍼を打つ際に細菌感染を防止することができる漢方用鍼アセンブリを提供することにある。
【００１１】
本発明の他の目的は、再使用を防止することができる漢方用鍼アセンブリを提供することにある。
【課題を解決するための手段】
【００１２】
上記目的を達成するための本発明に係る漢方用鍼アセンブリは、中空の管状の棒部材と；前記棒部材に移動可能に設置され、人体の皮膚中に刺し込まれるピン部材と；前記ピン部材が前記棒部材の先端から突き出て人体の皮膚に差し込まれた後、前記ピン部材が前記棒部材の先端から再び突き出て前記人体の皮膚に再度刺し込まれることを防止する再使用防止手段と；を含むことを特徴とする。
【００１３】
前記棒部材は、一方向に長い貫通孔を有する管部と、前記管部の外周面を取り囲むようにして配置され、前記管部の先端面及び内周面により限定される収容空間と、を有する収容部を有し；前記再使用防止手段は、前記収容空間に配置される挿入ブロックを含み；前記挿入ブロックは、前記ピン部材の挿入される孔を有する挿入部と、前記挿入部から延在し、前記挿入部の孔に前記ピン部材が挿入された状態で、前記ピン部材が貫通する軸線に対して偏って位置し、前記ピン部材の前記孔への挿入が解除された状態で、前記軸線に一致するように位置する中心部と、を含むことが好ましい。
【００１４】
また、前記棒部材は、一方向に長い貫通孔を有する管部と、前記管部の外周面を取り囲むようにして配置され、前記管部の先端面及び内周面により限定される収容空間を有する収容部と、を含み；前記再使用防止手段は、前記棒部材の中心軸線と一致する方向にあけられた貫通孔を有し、前記収容部から前記収容空間側に向かって次第に外径が狭まるように延在する突起部を含み；前記ピン部材は、前記突起部の貫通孔に挿入された状態で人体の皮膚中に刺し込まれ、前記貫通孔への挿入が解除された状態でその先端が前記貫通孔の中心軸線に対して偏って位置するように形成されることができる。
【００１５】
また、前記再使用防止手段は、前記棒部材の中心軸線と一致する方向にあけられて前記ピン部材が挿入される貫通孔を有し、前記棒部材の下端側から上端側に向かって次第に外径が狭まるように形成される挿入部を含み；前記ピン部材は、前記挿入部の貫通孔に挿入された状態で人体の皮膚中に刺し込まれ、前記貫通孔への挿入が解除された状態でその先端が前記貫通孔の中心軸線に対して偏って位置するように形成されることができる。
【００１６】
上記の漢方用鍼アセンブリは、前記ピン部材が前記棒部材の内部に挿入された状態で前記ピン部材の前記棒部材に対する移動を抑制する移動抑制手段をさらに含むことができる。
【００１７】
また、上記の漢方用鍼アセンブリは、前記ピン部材と一緒に前記棒部材に対して移動可能なように前記ピン部材に結合される加圧部材をさらに含み；前記移動抑制手段は、前記加圧部材の外周面に形成された第１係止突部と、前記加圧部材の外周面に前記第１係止突部と離間して形成される第２係止突部と、前記棒部材の内周面に形成されて、前記第１係止突部と第２係止突部との間に結合される位置固定突起と、を含むことができる。
【００１８】
また、前記移動抑制手段は、前記 位置固定突起の前記第１係止突部と第２係止突部との間に結合されている状態が解除されて、前記加圧部材が前記棒部材に対して移動する場合に、前記加圧部材及びピン部材が前記棒部材から分離されることを防止するように、前記加圧部材の第１係止突部が引っ掛かる第１ストッパと、前記加圧部材の第２係止突部が引っ掛かる第２ストッパと、をさらに含むができる。
【発明の効果】
【００１９】
本発明に係る漢方用鍼アセンブリによれば、ピン部材の再使用を防止できる再使用防止手段を含むため、一度使用されたピン部材が再び使用されることを防止することが可能になる。
【００２０】
特に、ピン部材の棒部材に対する移動を抑制させる移動抑制手段を含む実施例によると、施術者の指などにより細菌がピン部材に感染されることを防止でき、所望の施術部位により正確で便利な方法で鍼を打つことができる。
【図面の簡単な説明】
【００２１】
【図１】一般的な漢方用鍼アセンブリの断面図である。
【図２】一般的な漢方用鍼アセンブリにおける問題点を説明するための図である。
【図３】一般的な漢方用鍼アセンブリにおける問題点を説明するための図である。
【図４】本発明の一実施例による漢方用鍼アセンブリの分離斜視図である。
【図５】図４に示す針アセンブリの断面図である。
【図６】図４に示す針アセンブリの使用状態図である。
【図７】図４に示す針アセンブリの動作状態図である。
【図８】図４に示す針アセンブリの利点を説明するための図である。
【図９】本発明の他の実施例による漢方用鍼アセンブリの断面図である。
【図１０】本発明のさらに他の実施例による漢方用鍼アセンブリの断面図である。
【発明を実施するための形態】
【００２２】
以下、本発明に係る漢方用鍼アセンブリの好適な実施例を、添付の図面を参照しつつ詳細に説明する。
【００２３】
図４は、本発明の一実施例による漢方用鍼アセンブリの分解斜視図であり、図５は、図５に示す漢方用鍼アセンブリの断面図である。
【００２４】
図４及び図５に示すように、本発明による漢方用鍼アセンブリは、人体中の穴点を刺して病気を治めるのに使用される医療器具で、中空の管状の棒部材１と、棒部材１内に移動可能に設けられ、人体の皮膚Ｓ中に刺し込まれるピン部材２と、使用されたピン部材２が再使用されるのを根本的に防ぐ再使用防止手段と、を含んでなる。
【００２５】
再使用防止手段は、ピン部材が棒部材の先端から突き出て人体の皮膚に刺し込まれた後、このピン部材が棒部材の先端から再び突き出て人体の皮膚に再度刺し込まれることを防止するためのもので、本実施例では、収容部１２の収容空間１００に配置される挿入ブロック４を含む。
【００２６】
すなわち、棒部材１は、一方向に長い貫通孔を有する管部１１と、管部１１の外周面を取り囲むようにして配置される収容部１２と、を含む。収容部１２は、その内周面及び管部１１の先端面により限定される収容空間１００を有する。
【００２７】
挿入ブロック４は、挿入部４１と中心部４２を含む。挿入部４１は、ピン部材２が挿入される孔４１０を有する。中心部４２は、挿入部４１の孔４１０にピン部材２が挿入された状態で、ピン部材２が貫通する軸線Ｃ１に対して偏って配置され、ピン部材２の孔４１０への挿入が解除された状態では、軸線Ｃ１に一致するように配置される。
【００２８】
このように再使用防止手段を含むことにより、本実施例の鍼アセンブリは、図６のように鍼施術が行われた後、図７のようにピン部材２が挿入部４１の孔４１０から挿入解除された場合に、図８のようにピン部材２を挿入部４１の孔４１０に再び挿入しようとしても、ピン部材２が軸線Ｃ１に一致する中心部４２に引っ掛かるため、ピン部材２の挿入部４１への挿入が防止され、結果として、ピン部材２が棒部材１の外部に露出することが防止される。したがって、本実施例によれば、既に鍼施術に使われたピン部材２が再び使用されることを根本的に防ぐことができる。
【００２９】
一方、収容部１２は、先端側に行くほど次第に内径が狭まるテーパー面１２１を有することが好ましい。テーパー面１２１は、ピン部材２の挿入部４１の孔４１０への挿入が解除された状態で、挿入ブロック４の中心部４２を軸線Ｃ１に一致する位置に導く役割を果たす。
【００３０】
本実施例では、ピン部材２の棒部材１に対する位置固定のために、ピン部材２の移動を制限する移動抑制手段を含む。
【００３１】
本実施例の鍼アセンブリは、ピン部材２に結合される加圧部材３をさらに含む。加圧部材３は、ピン部材２と一緒に移動可能に棒部材１内に設置される。このような加圧部材３は、合成樹脂のような材質からなる。一方、ピン部材２は、アルミニウム、チタニウム、ステンレススチール、銀、金のような材質からなる。
【００３２】
移動抑制手段は、ピン部材２が棒部材１の内部に挿入された状態で、ピン部材２が棒部材１に対して移動することを抑えるためのもので、第１係止突部３１、第２係止突部３２及び位置固定突起１１０を含む。
【００３３】
第１係止突部３１は、加圧部材３の外周面に形成されており、加圧部材３が加圧されるとき、位置固定突起１１０に乗って移動する。第２係止突部３２は、加圧部材３の外周面に第１係止突部３１と離間して形成されている。
【００３４】
位置固定突起１１０は、第１係止突部３１と第２係止突部３２との間に係合することでピン部材２及び加圧部材３を棒部材１に対して固定させる。そして、外部の加圧力が加圧部材３に加えられると、位置固定突起１１０の係合状態が解除され、ピン部材２及び加圧部材３が棒部材１に対して移動することとなる。
【００３５】
このような移動抑制手段を含む本実施例によると、医学的施術者はより衛生的で便利な方法で鍼を打つことができる。すなわち、ピン部材２が患者の身体に接触するまでピン部材２は移動抑制手段により棒部材１に対して位置固定されているため、施術者は、ピン部材２に指を接触せずに、鍼を打ちたい位置にピン部材２を正確に配置させることができる。
【００３６】
一方、移動抑制手段には、第１ストッパ１１１と第２ストッパ１１２が設けられることが好ましい。第１ストッパ１１１は、ピン部材２の皮膚側への移動方向と反対方向にピン部材２が棒部材１から完全に分離されることを防止するように、第１係止突部３１が引っ掛かる部分である。
【００３７】
第２ストッパ１１２は、第１ストッパ１１１が第１係止突部３１と第２係止突部３２との間に係合されている状態が解除されて、加圧部材３が棒部材１に対して移動する場合に、加圧部材３の第２係止突部３２が引っ掛かる部分である。このような第２ストッパ１１２は、ピン部材２の皮膚側への移動方向にピン部材２が棒部材１から完全に分離されることを防止する役割を果たす。
【００３８】
このように、第１ストッパ１１１及び第２ストッパ１１２を含むことよって、本実施例は、ピン部材２が棒部材１から分離されることを防止するので、一度使用したピン部材２を再使用することを防ぐことができる。
【００３９】
一方、図９は、本発明の他の実施例による漢方用鍼アセンブリの断面図である。同図に示すように、棒部材２００は、一方向に長い貫通孔を有する管部２１１と、管部２１１の外周面を取り囲むようにして配置され、管部２１１の先端面及び内周面により限定される収容空間２０１を有する収容部２１２と、を含む。
【００４０】
そして、本実施例において、再使用防止手段は、棒部材２００の中心軸線Ｃ２と一致する方向にあけられた貫通孔２１３ａを有し、棒部材２００の下端から上端に行くにつれて外径が狭まるように収容部２１２から延在する突起部２１３を含んでなる。
ピン部材２２０は、図９に実線で示すように、突起部２１３の貫通孔２１３ａに挿入された状態で人体の皮膚中に刺し込まれるし、図９に仮想線で示すように、貫通孔２１３ａへの挿入が解除された状態ではその先端が貫通孔２１３ａの中心軸線Ｃ２に対して偏って位置する。したがって、本実施例によれば、一度使用されたピン部材２２０は貫通孔２１３ａの中心軸線Ｃ２に位置できず、突起部２１３の外面に引っ掛かるので、ピン部材２２０の再使用を防止することができる。
【００４１】
図１０は、本発明のさらに他の実施例による漢方用鍼アセンブリの断面図である。同図に示すように、再使用防止手段は、棒部材３１０の中心軸線Ｃ３と一致する方向にあけられ、ピン部材３２０が挿入される貫通孔３１１ａを有し、棒部材３１０の下端側から上端側に行くにつれて外径が狭まるように形成される挿入部３１１を含む。
【００４２】
ピン部材３２０は、図１０に実線で示すように、挿入部３１１の貫通孔３１１ａに挿入された状態で人体の皮膚中に刺し込まれるし、図１０に仮想線で示すように、貫通孔３１１ａへの挿入が解除された状態ではその先端が貫通孔３１１ａの中心軸線Ｃ３に対して偏って位置するようになっている。したがって、本実施例によれば、図９に示す実施例と同様に、一度使用されたピン部材３２０が貫通孔３１１ａの中心軸線Ｃ３に位置できず、挿入部３１１の外面に引っ掛かるため、ピン部材３２０の再使用を防止することができる。
【００４３】
以上では本発明を好適な実施例に上げて説明してきたが、本発明は、上記の実施例に限定されず、下記の特許請求の範囲の記載により定義され、本発明の属する技術分野において様々な改変ができることは自明である。
【符号の説明】
【００４４】
１        棒部材
１１      管部
１００    収容空間
１１０    位置固定突起
１１１    第１ストッパ
１１２    第２ストッパ
１２      収容部
１２１    テーパー面
２        ピン部材
３        加圧部材
３１      第１係止突部
３２      第２係止突部
４        挿入ブロック
４１      挿入部
４１０    孔
４２      中心部
Ｓ        皮膚
【図１】
2010537709.tif 000003
【図２】
2010537709.tif 000004
【図３】
2010537709.tif 000005
【図４】
2010537709.tif 000006
【図５】
2010537709.tif 000007
【図６】
2010537709.tif 000008
【図７】
2010537709.tif 000009
【図８】
2010537709.tif 000010
【図９】
2010537709.tif 000011
【図１０】
2010537709.tif 000012
【国際調査報告】
2010537709.tif 000013
2010537709.tif 000014